(57)【要約】      （修正有）【課題】袋体の開口部を閉塞した時、取手が使用可能になり、袋体が空の時、取手が元の位置に帰着することを可能とする。【解決手段】手提げ袋は、天然繊維又は合成樹脂繊維を素材とする袋体２と閉じ紐と帯状体とよりなり、袋体２の表面及び裏面の上緑部を折り返して縫製した筒状部の左右両端部から閉じ紐を循環挿通し、袋体２の表面上及び裏面上にあって、筒状部に近接した平行線に沿って、帯状体を配置し、帯状体の左右両端部を袋体２に縫着又は接着してなる手提げ袋であって、閉じ紐５を左右方向に引き出すと筒状部は絞られ、袋体２の開口部７を閉塞する。その動きに連動して、帯状体の一部が、袋体２より離隔して、手掛口を形成し、取手としての役割を果たし、筒状部の絞りを開放すると、帯状体は袋体２の元の位置に帰着するので、手提げ袋の格納は容易になる。【選択図】図１
0003135119.tif 000002
【実用新案登録請求の範囲】
【請求項１】
天然繊維又は合成樹脂繊維を素材とする袋体と閉じ紐と帯状体とよりなり、前記袋体の表面及び裏面の上緑部を折り返して縫製した筒状部の左右両端から前記閉じ紐を循環挿通し、前記袋体の表面上及び裏面上にあって、前記筒状部に近接した平行線に沿って、前記帯状体を配置し、前記帯状体の左右両端を袋体に縫着又は接着してなる手提げ袋であって、前記閉じ紐を左右の外側方向に引き出して、袋体の開口部を閉塞した時、その動きに連動して、前記帯状体の一部が、袋体より離隔して、手掛口を形成することを特徴とする手提げ袋。
【考案の詳細な説明】
【技術分野】
【０００１】  本考案は、閉じ紐と帯状体を備えた手提げ袋に係り、閉じ紐との連動において、帯状体が取手としての機能を果たす手提げ袋に関する。
【背景技術】
【０００２】  手提げ袋は、通常取手が袋上緑部分に取り付けられる形式が買い物袋として広く使用されている。それらの買い物袋は折り畳み用の折り目を有しているで、空き袋を格納する時、袋の底辺部分を折り畳むことが出来る。【０００３】  しかし、取手は、収納物の重量に耐えるためには、堅牢でなければならないので、このような場合、袋は、畳めても、取手は格納の邪魔になるという欠点がある。【０００４】  また、空き袋を扁平に折り畳むことが容易な包装袋の提案がある（特開２００５−２８９４０６号公報・発明の名称瓶の包装紙袋）。この公報によれば、この包装袋は、環状に連結されている１連の結び紐を有しているが、（それは邪魔にならず）扁平に折り畳むことは容易であるとしている。しかし、瓶を収納し、開口部を閉塞した後は、その結び紐は取手として機能は示唆されていない。
【特許文献１】特開２００５−２８９４０６号公報
【考案の開示】
【考案が解決しようとする課題】
【０００５】  解決しようとする問題点は、袋体の開口部を閉塞した時、取手が使用可能になり、袋体が空の時、取手が元の位置に帰着することを可能とする点である。
【課題を解決するための手段】
【０００６】  本考案の手提げ袋は、天然繊維又は合成樹脂繊維を素材とする袋体と閉じ紐と帯状体とよりなり、前記袋体の表面及び裏面の上緑部を折り返して縫製した筒状部の左右両端部から前記閉じ紐を循環挿通し、前記袋体の表面上及び裏面上にあって、前記筒状部に近接した平行線に沿って、前記帯状体を配置し、前記帯状体の左右両端部を袋体に縫着又は接着してなる手提げ袋であって、前記閉じ紐の左右方向に引き出して、袋体の開口部を閉塞した時、その動きに連動して、前記帯状体の一部が、袋体より離隔して、手掛口を形成することを最も主要な特徴とする。
【考案の効果】
【０００７】  本考案の手提げ袋は、袋体に収納物を収納したのち、閉じ紐を筒状部の左右端から引き出すと、筒状部は、絞られ、袋体の開口部は閉じ、帯状体は、その動きに連動して、袋体より、離隔して、手掛口を形成し、手が入りやすくなり、取手としての役割をはたす。袋体の開口部を閉じた時、収納された収納物は、しっかりと保持されているので、取手を把持した時、安定感が得られる。袋の用済み後、筒状部の絞りを開放すれば、帯状体は、袋体の元の位置に帰着し、袋体と一体に折り畳めることが可能になり、手提げ袋を格納するために折り畳んでも、取手のあと処理に煩わしさは残らないという利点がある。
【考案を実施するための最良の形態】
【０００８】  取手付き袋を空時保管する時、取手が邪魔にならないという目的を、簡単な構成で、嵩張らずに実現した。
【実施例１】
【０００９】  図１は、空状態時の本考案の実施の形態に係る手提げ袋の正面図であり、図２は、使用状態時の本考案の実施の形態に係る手提げ袋の立体平面図である。図３は、使用状態時の本考案の実施の形態に係る手提げ袋の立体正面図である。【００１０】  図１によって、本考案の手提げ袋１の構成と主要部品の機能を説明する。手提げ袋１は、袋態２と閉じ紐５ａ，ｂと帯状体４ａ，ｂよりなり、袋体２の下部には、ガセット６を有する。袋体２と閉じ紐５ａ，ｂと帯状体４ａ，ｂの素材はいずれも、天然繊維又は合成樹脂繊維であり、袋体２と帯状体４は布状であり、素材及びサイズは、外観上、使用目的の視点から選択、決定される。次に、サイズの具体的例（概略値）を示す。袋体２は、幅２８ｃｍ、高さ２３ｃｍ。ガセット部６の幅は、９ｃｍ。閉じ紐５は、太さ３ｍｍ、長さ７０ｃｍ（２本）。帯状体４の幅は、２ｃｍ、長さ２０ｃｍ。端部縫着箇所は、袋体２の上縁から３ｃｍ、縫い代又は接着代の幅は８ｍｍである。【００１１】  袋体２の表面及び裏面の上緑部を折り返して縫製した部分を筒状部３ａ，ｂ（表面をａ、裏面をｂ）とする。筒状部３ａの右端部から閉じ紐５ａを挿通し、筒状部３ａの左端部で循環して折り返してから、筒状部３ｂの左端部から閉じ紐５ａを挿通し、右端部で、端末処理する。同様に筒状部３ａの左端部から閉じ紐５ｂを挿通し、筒状部３ａの右端部で循環して折り返してから、筒状部３ｂの右端部から閉じ紐５ｂを挿通し、左端部で、端末処理する。端末処理は、単に、結び目を作るか、端末金具を用いて締結してもよい。【００１２】  袋体２の表面上にあって、筒状部３ａに近接した平行線に沿って、帯状体４ａの左右両端部４ａ１，４ａ２を袋体２に縫着又は接着する。同様に、袋体２の裏面上にあって、筒状部３ｂに近接した平行線に沿って、帯状体４ｂの左右両端部４ｂ１、４ｂ２を袋体２に縫着又は接着する。【００１３】  図２、図３によって、閉じ紐５の動きと帯状体４の動きと連動する模様を説明する。袋体２に収納物を収納したのち、閉じ紐５ａ、５ｂを筒状部３ａ、３ｂの左右端から引き出すと、筒状部３ａ、３ｂは、絞られ、袋体２の開口部７は閉じる。帯状体４ａ、４ｂの一部は、その動きに連動して、袋体２より、離隔して、手掛口４ｃ、４ｄを形成する。手掛口４ｃ、４ｄには、手が入りやすくなり、帯状体４ａ、４ｂは、取手としての役割を果たす。【００１４】  袋の用済み後、筒状部３ａ、３ｂの絞りを開放すれば、帯状体４ａ、４ｂは、再び袋体２の元の位置に帰着し、取手として機能した帯状体４ａ、４ｂは、袋体２と一体に折り畳められるので、手提げ袋を格納するために折り畳んでも、取手のあと処理に煩わしさは残らないという利点がある。
【図面の簡単な説明】
【００１５】
【図１】は、空状態時の本考案の実施の形態に係る手提げ袋の正面図である。
【図２】は、使用状態時の本考案の実施の形態に係る手提げ袋の立体平面図である。
【図３】は、使用状態時の本考案の実施の形態に係る手提げ袋の立体正面図である。
【符号の説明】
【００１６】１  手提げ袋
２  袋体
３ａ、３ｂ  筒状部
４ａ、４ｂ  帯状体
４ａ１、４ｂ１、４ａ２、４ｂ２  帯状体の端部
４ｃ、４ｄ  手掛口
５ａ、５ｂ  閉じ紐
６  ガセット部
７  開口部
【図１】
0003135119.tif 000003
【図２】
0003135119.tif 000004
【図３】
0003135119.tif 000005